(57)【要約】      （修正有）【課題】洗濯がしやすく携帯性に優れ、折り畳んだ状態で財布や定期入れの中に収まる折り畳み式買物袋を提供する。【解決手段】単糸繊度が１デシテックス以下、総繊度が１０デシテックス以上かつ６０デシテックス以下のマルチフィラメント繊維からなる生地２で構成され、該生地に紙幣またはキャッシュカードと略等しい寸法のガイド３が貼付されていることを特徴とする折り畳み式買物袋１。生地２には、ガイドの寸法と略同ピッチで畳み癖５が付与されていることが好ましい。【選択図】図１
0003161612.tif 000002
【実用新案登録請求の範囲】
【請求項１】
単糸繊度が１デシテックス以下、総繊度が１０デシテックス以上かつ６０デシテックス以下のマルチフィラメント繊維からなる生地で構成され、該生地に紙幣またはキャッシュカードと略等しい寸法のガイドが貼付されていることを特徴とする折り畳み式買物袋。
【請求項２】
前記生地に、前記ガイドの寸法と略同ピッチで畳み癖が付与されている、請求項１に記載の折り畳み式買物袋。
【請求項３】
前記畳み癖に従い折り畳んだ際の厚みが５ｍｍ以下である、請求項２に記載の折り畳み式買物袋。
【請求項４】
前記ガイドに文字または図柄が表示される表示部が設けられ、前記畳み癖に従い折り畳んだ際に前記表示部が視認可能に構成されている、請求項２または３に記載の折り畳み式買物袋。
【請求項５】
２枚のガイドが前記生地に貼付され、前記畳み癖に従い折り畳んだ際に、前記ガイドおよび前記ガイドが貼付された生地部分のいずれかが必ず外側に露出する、請求項２〜４のいずれかに記載の折り畳み式買物袋。
【請求項６】
前記２枚のガイドが前記生地に隣り合って貼付されている、請求項５に記載の折り畳み式買物袋。
【請求項７】
前記生地の厚みが１０μｍ以上かつ１００μｍ以下である、請求項１〜６のいずれかに記載の折り畳み式買物袋。
【請求項８】
前記生地の袋内側の表面がカレンダー加工されている、請求項１〜７のいずれかに記載の折り畳み式買物袋。
【請求項９】
前記生地の切断面のうち、縫製されない部位の切断面はレーザーで切断されている、請求項１〜８のいずれかに記載の折り畳み式買物袋。
【請求項１０】
前記ガイドが平板形状に形成されている、請求項１〜９のいずれかに記載の折り畳み式買物袋。
【請求項１１】
前記ガイドがポリエチレンテレフタレートからなる、請求項１〜１０のいずれかに記載の折り畳み式買物袋。
【考案の詳細な説明】
【技術分野】
【０００１】
本考案は、折り畳んだ状態で財布や定期入れの中に収まる折り畳み式買物袋に関する。
【背景技術】
【０００２】
近年の環境保護ブームの一環として、携帯用の買物袋、いわゆるエコバッグが普及してきている。例えば特許文献１および２には、携帯性や使い勝手を高めたエコバッグが開示されている。
【先行技術文献】
【特許文献】
【０００３】
【特許文献１】特開２００８−０２３３０５号公報
【特許文献２】特開２００９−０９００６３号公報
【考案の概要】
【考案が解決しようとする課題】
【０００４】
特許文献１に記載されるコンパクトエコバッグは、布でできているので容易に洗濯できるが、きれいに折り畳むことが難しく、袋の本体３をポケット２に無理矢理押し込むようになりがちである。また、特許文献２に記載される買物バッグは、蝶番型底板７が埋め込まれることにより、持ち手５と留め紐６を同時に引くことにより自動的に折り畳むことができるが、洗濯する際には本体と底板を分離するなどの手間がかかる。
【０００５】
このような現状に鑑み、本考案の課題は、洗濯がしやすく携帯性に優れた折り畳み式買物袋を提供することにある。
【課題を解決するための手段】
【０００６】
上記課題を解決するために、本考案に係る折り畳み式買物袋は、単糸繊度が１デシテックス以下、総繊度が１０デシテックス以上かつ６０デシテックス以下のマルチフィラメント繊維からなる生地で構成され、該生地に紙幣またはキャッシュカードと略等しい寸法のガイドが貼付されていることを特徴とするものからなる。このような折り畳み式買物袋によれば、ガイドを利用して、薄い繊維生地を財布や定期入れ等に収納しやすいサイズまで容易に折り畳むことができるので、優れた携帯性および折り畳み性が実現可能となる。
【０００７】
本考案の折り畳み式買物袋においては、前記生地に、前記ガイドの寸法と略同ピッチで畳み癖が付与されていることが好ましい。畳み癖を付与する手法としては、加熱によるパーマネントプリーツ加工等の形態安定加工の手法を採用することができる。このようにして畳み癖を付与することにより、数回洗濯をしても高い折り畳み性を維持することが可能となる。とくに、前記畳み癖に従い折り畳んだ際の厚みが５ｍｍ以下であるように買物袋を形成することにより、財布や定期入れ等の中のカード類収納場所に容易に収納することができるようになる。
【０００８】
また、前記ガイドに文字または図柄が表示される表示部が設けられ、前記畳み癖に従い折り畳んだ際に前記表示部が視認可能に構成されていることが好ましい。このような表示部をガイド上に設けることにより、買物袋に企業名や宣伝広告を入れることが可能となるので、ノベルティ商品としての利用に適するようになる。
【０００９】
さらに、２枚のガイドが前記生地に貼付され、前記畳み癖に従い折り畳んだ際に、前記ガイドおよび前記ガイドが貼付された生地部分のいずれかが必ず外側に露出することが好ましい。このように折り畳み式買物袋を構成することにより、使用者が折り畳み順序に頭を悩ますことなく適切に素早く折り畳むことのできる、使い勝手の良い買物袋が実現可能となる。とくに、前記２枚のガイドが前記生地に隣り合って貼付されているようにすれば、畳み癖に沿って上記２枚のガイド分の大きさまで折り畳んだ後、折り畳まれた生地を最後に隣接し合う２枚のガイドで挟み込むことによって、生地を折り畳む作業をスムーズに行うことが可能となる。
【００１０】
本考案の折り畳み式買物袋において、前記生地の厚みが１０μｍ以上かつ１００μｍ以下であることが好ましい。生地の厚みをこの範囲内に設定することにより、折り畳んだ際の財布への収納性を確保しつつ、買物袋としての使用に耐え得る強度を持たせることが可能となる。
【００１１】
本考案の折り畳み式買物袋において、前記生地の袋内側の表面がカレンダー加工されていることが好ましい。カレンダー加工によって生地表面が平滑化されるので、折り畳み時に生地同士を容易に密着させることが可能となる。
【００１２】
本考案の折り畳み式買物袋において、前記生地の切断面のうち、縫製されない部位の切断面はレーザーで切断されていることが好ましい。レーザーによって切断された生地断面は、レーザーからの熱を受けて融着されるので、縫製しなくても繊維がほつれ出にくくなる。従って、縫い目が非常に少なくゴロツキ感のない買物袋を提供することが可能となる。
【００１３】
本考案において、前記ガイドは平板形状のほか、平板の内側が打ち抜かれたような長方形枠形状や、長方形枠を構成する４辺のうち１辺または２辺が除去されたようなコ字形状またはＬ字形状に形成することが可能であるが、加工のしやすさや強度の観点からは、前記ガイドが平板形状に形成されていることが好ましい。
【００１４】
また、前記ガイドは、ポリエチレンテレフタレート（ＰＥＴ）またはウレタン系樹脂からなることが好ましい。すなわち、上記生地にＰＥＴ製のガイドを貼付するか、あるいは上記生地にＰＥＴを塗布することによりＰＥＴ製のガイドが貼付された生地を製造することが好ましい。
【考案の効果】
【００１５】
本考案の折り畳み式買物袋によれば、薄い繊維生地を財布に収納しやすいサイズまで容易に折り畳むことができるので、優れた携帯性および折り畳み性が実現可能となる。
【図面の簡単な説明】
【００１６】
【図１】本考案の一実施態様に係る折り畳み式買物袋を示し、（Ａ）は折り畳んだ状態を示す平面図、（Ｂ）は買物袋としての使用状態を示す平面図、（Ｃ）は生地の展開図である。
【図２】本考案の他の実施態様に係る折り畳み式買物袋を示し、（Ａ）は折り畳んだ状態を示す平面図、（Ｂ）は買物袋としての使用状態を示す平面図、（Ｃ）は生地の展開図である。
【図３】本考案のさらに他の実施態様に係る折り畳み式買物袋を示し、（Ａ）は折り畳んだ状態を示す平面図、（Ｂ）は買物袋としての使用状態を示す平面図、（Ｃ）は生地の展開図である。
【考案を実施するための形態】
【００１７】
以下に、本考案の望ましい実施の形態について、図面を参照しながら詳細に説明する。
図１は、本考案の一実施態様に係る折り畳み式買物袋１を示し、（Ａ）は折り畳んだ状態を示す平面図、（Ｂ）は買物袋としての使用状態を示す平面図、（Ｃ）は生地の展開図である。図１においては、単糸繊度が０．４５デシテックス、総繊度が３３デシテックスのマルチフィラメント繊維からなる洗濯可能な生地２で構成され、該生地にキャッシュカードと略等しい寸法（８５×５５ｍｍ）のＰＥＴからなるガイド３としての２枚の平板が接着剤を用いて貼付されている。図１（Ａ）に示す折り畳んだ状態においては、買物袋１の外形寸法はガイド３と略同寸法のキャッシュカードサイズとなっているため、財布等のカード類収納場所に入れて携帯することができる。また、図１（Ｂ）に示す使用状態においては、商品は手提げ状の買物袋１の袋内部４に収容される。
【００１８】
生地２には、図１（Ｂ）および（Ｃ）に示すように、ガイド３の寸法（８５×５５ｍｍ）と略等しいピッチで、形態安定加工による畳み癖５が付与されている。２枚のガイド３は、畳み癖５により区画された単位領域の互いに隣接する位置に貼付されているので、この畳み癖５を利用して買物袋３を素早くキャッシュカードサイズに折り畳み、最後に生地２を２枚のガイド３の間に挟んで外形寸法をコンパクトにすることができる。また、ガイド３の表面に企業名等を印刷することにより、企業の広告宣伝のために買物袋１をノベルティ商品として配布することができる。
【００１９】
図２は、本考案の他の実施態様に係る折り畳み式買物袋１１を示し、（Ａ）は折り畳んだ状態を示す平面図、（Ｂ）は買物袋としての使用状態を示す平面図、（Ｃ）は生地の展開図である。図１のガイド３と異なり、２枚のガイド１３はそれぞれ紙幣と略等しい寸法（１５０×７５ｍｍ）に形成されており、畳み癖１５もガイド１３の寸法と略等しいピッチで付与されている。このように構成された買物袋１は、財布（特に長財布）の紙幣収納場所に入れて携帯することができる。その他の点については図１と同様であるので、説明を省略する。
【００２０】
図３は、本考案のさらに他の実施態様に係る折り畳み式買物袋２１を示し、（Ａ）は折り畳んだ状態を示す平面図、（Ｂ）は買物袋としての使用状態を示す平面図、（Ｃ）は生地の展開図である。図２のガイド１３とは異なり、ガイド２３は買物袋２１の袋底部分に１枚のみ貼付されている。図３（Ｂ）に示す使用状態においては、買物袋２１が広げられてトートバッグのように大量の商品を収容することができる。また、買物袋２１の生地２には把手６が取り付けられているので、買物袋２１に大量の商品を収容して重くなった場合にも、比較的容易に買物袋２１を持ち歩くことができる。その他の点については図２と同様であるので、説明を省略する。
【産業上の利用可能性】
【００２１】
本考案に係る折り畳み式買物袋は、いわゆるエコバッグとして利用可能であり、企業等のノベルティ商品にも好適に利用できる。
【符号の説明】
【００２２】
１、１１、２１  買物袋
２  生地
３、１３、２３  ガイド
４  袋内部
５、１５  畳み癖
６  把手
【図１】
0003161612.tif 000003
【図２】
0003161612.tif 000004
【図３】
0003161612.tif 000005